(57)【要約】【課題】本発明は反りが発生した筐体の姿勢を容易に補整することができる、樹脂成形部材を得る。【解決手段】本発明の樹脂製筐体は、第１の壁部１９と、該第１の壁部１９の向かい合うそれぞれの縁部２０に沿って立設される一対の第２の壁部２１，２１と、を有する第１の筐体構成要素１５と、一対の第２の壁部２１，２１のそれぞれ先端側に跨って取り付けられる第２の筐体構成要素１６と、一対の第２の壁部２１，２１間に挿入されて第２の壁部２１，２１のそれぞれ内面に摺接する２以上の突起部３１，…を有する補整部材１７と、を備え、突起部３１，…が一対の第２の壁部２１，２１間に挿入されるのに伴って、一対の第２の壁部２１，２１間を拡張する方向Ｃに作用させる傾斜面３５が形成される構成を有している。【選択図】図３
2013056465.tif 000002
【特許請求の範囲】
【請求項１】
少なくとも第１の壁部と、該第１の壁部の向かい合うそれぞれの縁部に沿って立設される一対の第２の壁部と、を有する第１の筐体構成要素と、一対の第２の壁部のそれぞれ先端側に跨って取り付けられる第２の筐体構成要素と、を備える樹脂製筐体であって、一対の第２の壁部が接近する方向に変形する第１の筐体構成要素の反りを補整すべく、一対の第２の壁部間に挿入されて第２の壁部のそれぞれ内面に摺接する少なくとも一対以上の突起部を有する補整部材を備え、該突起部の先端側及び突起部が摺接する第２の壁部の内面のいずれか一方又はその両方に、突起部が一対の第２の壁部間に挿入されるのに伴って、一対の第２の壁部間を拡張する方向に作用させる傾斜面が形成されることを特徴とする樹脂製筐体。
【請求項２】
前記補整部材は、第１の筐体構成要素の反りが補整されているときの第２の壁部の内面の位置に対応する位置に各突起部を支持する支持部を備えることを特徴とする請求項１に記載の樹脂製筐体。
【請求項３】
前記一対の第２の壁部のそれぞれ内面は、突起部が摺接する摺接部を備え、該摺接部は、突起部が第２の壁部間に挿入される方向に沿って設けられることを特徴とする請求項１又は請求項２に記載の樹脂製筐体。
【請求項４】
前記摺接部は、第２の壁部が立設する方向に沿って設けられることを特徴とする請求項１乃至請求項３のいずれかに記載の樹脂製筐体。
【発明の詳細な説明】
【技術分野】
【０００１】
本発明は、成形時に発生した反りを補整可能な樹脂製筐体に関する。
【背景技術】
【０００２】
従来より、樹脂製筐体は、電気・電子機器などの部品を収納する筐体に利用されている。例えば、樹脂製筐体は、特許文献１に記載されているように、ワイヤーハーネスを収納するプロテクタとして利用されている。このプロテクタは、断面形状が凹状であるプロテクタ本体と、該プロテクタ本体の開放部を塞ぐ蓋体と、を備えている。このプロテクタ本体は、底部と該底部の両側の端部から同方向に一対に設けられた側壁とを有する。この底部と側壁とは、合成樹脂で一体に成形されている。蓋体は、側壁の縁に設けられる係止枠を係止可能なロックアームを備える。プロテクタは、プロテクタ本体の係止枠にロックアームを係止することにより、プロテクタ本体と蓋体とを組み付けて構成されている。
【先行技術文献】
【特許文献】
【０００３】
【特許文献１】特開平０７−２４６６２３号公報
【非特許文献】
【０００４】
【非特許文献１】プラスチック成形加工用語辞典編集委員会、「図解  プラスチック成形加工用語辞典」、株式会社工業調査会、１９９９年１月１０日、ｐ．５５−５６
【発明の概要】
【発明が解決しようとする課題】
【０００５】
しかし、樹脂成形品は、各部位の収縮率の違いによって、いわゆる、「反り（そり）」なる現象を起こしやすい（非特許文献１参照）。樹脂成形品は、射出成形された樹脂成形品の部分に厚さの異なる部分があるとき、その部分の結晶化が異なるため、その部分にひずみを起こす。樹脂成形品がこのひずみに耐える強度を有しないとき、反りは起こる。
【０００６】
特に、特許文献１に記載されているプロテクタ本体のような樹脂製筐体は、反りを起こしやすい。樹脂製筐体は、向かい合う両側壁が互いに接近する方向に弓なりに反るため、プロテクタ本体の係止枠の位置はずれる。当然に、蓋体のロックアームは、側壁が反っていない状態にある係止枠の位置に合わせて設計されている。プロテクタ本体の側壁が反っているとき、プロテクタ本体の係止枠の位置は、蓋体のロックアームの位置に合っていない。よって、プロテクタ本体は、この係止枠の位置を所望の位置に変形させて蓋体を装着するために、そのプロテクタ本体の姿勢を補整しなければならなかった。
【０００７】
そこで、特許文献１に記載の樹脂製筐体は、側壁の外側に倒れこみ防止リブを一体成型し、成型後の冷却時に倒れこみ防止リブが側壁を外側へ引っ張ることで反りを低減している。
【０００８】
しかしながら、例えば樹脂成型品が比較的大きい場合、各部位のひずみは少なくても樹脂成型品全体としてはひずみが大きくなるため、特許文献1に記載の倒れこみ防止リブ等では側壁の反りの低減方法として不十分、あるいは逆に外側へ反ってしまうおそれがある。また、樹脂製筐体の外観デザイン上、樹脂製筐体の外側に倒れこみ防止リブのような補整部材を設けることが好ましくない場合もある。
【０００９】
本発明は、かかる事情に鑑み、反りが発生した筐体の姿勢を容易に補整することができる樹脂製筐体を提供することを目的とする。
【課題を解決するための手段】
【００１０】
本発明の樹脂製筐体は、少なくとも第１の壁部と、該第１の壁部の向かい合うそれぞれの縁部に沿って立設される一対の第２の壁部と、を有する第１の筐体構成要素と、一対の第２の壁部のそれぞれ先端側に跨って取り付けられる第２の筐体構成要素と、を備える樹脂製筐体であって、一対の第２の壁部が接近する方向に変形する第１の筐体構成要素の反りを補整すべく、一対の第２の壁部間に挿入されて第２の壁部のそれぞれ内面に摺接する少なくとも一対以上の突起部を有する補整部材を備え、該突起部の先端側及び突起部が摺接する第２の壁部の内面のいずれか一方又はその両方に、突起部が一対の第２の壁部間に挿入されるのに伴って、一対の第２の壁部間を拡張する方向に作用させる傾斜面が形成されるという構成を有している。
【００１１】
かかる構成によれば、補整部材の突起部が第２の壁部間に挿入されることにより、一対の第２の壁部間を拡張する方向に傾斜面が作用し、第１の筐体構成要素の反りを補整することができる。
【００１２】
また、請求項２記載の発明において、前記補整部材は、第１の筐体構成要素の反りが補整されているときの第２の壁部の内面の位置に対応する位置に各突起部を支持する支持部を備えることが好ましい。
【００１３】
かかる構成によれば、補整部材の突起部が第２の壁部間に挿入されることにより、支持部が第１の筐体構成要素の反りが補整されているときの第２の壁部の内面の位置に対応する位置に各突起部を位置させ、第１の筐体構成要素の反りを補整することができる。
【００１４】
また、請求項３記載の発明において、前記一対の第２の壁部のそれぞれ内面は、突起部が摺接する摺接部を備え、該摺接部は、突起部が第２の壁部間に挿入される方向に沿って設けられることが好ましい。
【００１５】
かかる構成によれば、補整部材の突起部を第２の壁部間のそれぞれの内面に摺接させて、各第２の壁部に沿って挿入させることができる。
【００１６】
また、請求項４記載の発明において、前記摺接部は、第２の壁部が立設する方向に沿って設けられることが好ましい。
【００１７】
かかる構成によれば、補整部材の突起部を第２の壁部が立設する方向から挿入することができ、より効果的に第１の筐体構成要素の反りを補整することができる。
【発明の効果】
【００１８】
本発明の樹脂製筐体によれば、反りが発生した筐体の姿勢を容易に補整することができる。
【図面の簡単な説明】
【００１９】
【図１】本発明の実施形態に係る光照射治療・予防装置の制御回路図
【図２】同実施形態に係る光照射治療・予防装置の全体斜視図
【図３】同実施形態に係る光照射治療・予防装置の装置本体の分解図
【図４】同実施形態に係る光照射治療・予防装置の装置本体の組み付け部分の要部拡大図
【図５】同実施形態に係る光照射治療・予防装置の装置本体の組み付け部分の断面図
【発明を実施するための形態】
【００２０】
本発明の一実施形態に係る光照射治療・予防装置について、図１〜図５を参酌しつつ、説明する。同実施形態に係る光照射治療・予防装置１は、主に、炎症性疾患の罹患を予防し又は罹患時の当該疾患の症状を軽減する予防治療を受ける被治療者や、炎症性疾患を抑制することにより炎症性疾患の治療を受ける被治療者（患者）などの治療を受けるために当該装置を使用する使用者に光を照射する光照射装置の一例である。
【００２１】
同実施形態に係る光照射治療・予防装置１は、図１で図示する光照射治療・予防装置の制御回路図に示されているように、被写体に対して光を放射する光源２と、該光源２から放射される放射光を被写体に向けて反射する反射部材３と、該反射部材３から反射された光を透過させて被写体に照射する照射部材４と、光源２から放射される放射光のうち波長が特定の範囲内の放射光を透過させる波長透過手段５と、光源２の発光を制御する発光制御手段６と、光源２及び発光制御手段６に電気を供給する電源供給手段７と、光源２、反射部材３、照射部材４、波長透過手段５、発光制御手段６及び電源供給手段７を収納するとともに、波長透過手段５から透過された透過光を使用者の予防したい部位又は罹患した部位（特定部位）に照射可能な構造を有する装置本体８（図２参照）と、を備える。
【００２２】
光源２は、炎症性サイトカインの産生を抑制するために使用者の生体の予防したい部位又は罹患した部位に照射する光源となる。光源２は、例えば、キセノン放電管やハロゲン放電管などの（閃光）放電管である。特に、本実施形態に係る光源２は、キセノン放電管である例を説明する。
【００２３】
反射部材３は、波長透過手段５を透過した透過光が使用者の予防したい部位又は罹患した部位に照射されるように、光源２から略全方位に放射される放射光の照射範囲を制御する。
【００２４】
照射部材４は、本実施形態では、使用者の手の甲（手首から指先までの手の外側の面）に対向して配置される第１の照射面と、使用者の手の平（手首から指先までの手の内側の面）に対向して配置される第２の照射面と、を備える。
【００２５】
波長透過手段５は、光源２から放射された放射光の、１以上の特定の波長、又は、１以上の特定範囲の波長の放射光のみを透過する光学フィルタである。本実施形態に係る光学フィルタは、特定範囲の波長（帯）の放射光のみを選択的に透過するバンドパスフィルタ（干渉フィルタ）を例に説明する。
【００２６】
発光制御手段６は、光源２を１回又は複数回に分けて閃光発光させたり、所定の発光間隔で発光制御させたり、複数回に分けて閃光発光させる場合は、更に、光源２が放射する放射エネルギーを所定の放射エネルギー以下に抑えて閃光発光させるなどの様々な発光パターンで光源２を発光制御する。
【００２７】
電源供給手段７は、図１に示すように、光源２の発光エネルギーを蓄える蓄電手段９と、該蓄電手段９を充電する充電回路１０と、蓄電手段９に電気を供給する電源部１１と、該電源部１１のオン・オフを切り替える電源スイッチ１２と、を備える。電源供給手段７は、光源２以外にも、発光制御手段６の電源としても用いられる。
【００２８】
装置本体８は、図２に示すように、少なくとも一つの開口を有する略直方体形状に形成されており、光源２、反射部材３、照射部材４、波長透過手段５、発光制御手段６、電源供給手段７などを内蔵させるケーシングである。この装置本体８は、一方の面（以下、「前面」と称する）に形成される開口部から使用者の手を挿入して、手の甲に特定範囲の波長の光を照射するための台である載置部１３と、持ち運ぶために使用者が把持する把持部１４と、を備える。
【００２９】
装置本体８は、プラスチックなどの合成樹脂を射出成形した樹脂製筐体である。装置本体８は、図３に示すように、少なくとも一方が開口している凹状の第１の筐体構成要素１５と、該第１の筐体構成要素１５の開口を塞ぐ第２の筐体構成要素１６と、第１の筐体構成要素１５の反りを補整する補整部材１７と、を備える。
【００３０】
第１の筐体構成要素１５は、少なくとも一方が開放される開放部１８を有する。本実施形態に係る第１の筐体構成要素１５は、上面（図３の上側の面）と前面（図３の左側の面）とに開放部１８が設けられている。第１の筐体構成要素１５は、第１の壁部１９と、該第１の壁部１９の向かい合うそれぞれの縁部（辺）２０，２０に沿って第１の壁部１９に直交する方向Ａに立設される一対の第２の壁部２１，２１と、第１の壁部１９の残りの縁部（辺）２０に沿って第１の壁部１９に直交する方向Ａに立設される第３の壁部２２と、を備える。
【００３１】
第１の壁部１９は、第１の筐体構成要素１５の底に対応しており、第２の筐体構成要素１６と対向する位置関係にある。第１の壁部１９の形状は、略長方形である。第１の壁部１９は、向かう合う２つの長辺に沿って第２の壁部２１，２１が設けられ、短辺に沿って第３の壁部２２が設けられる。
【００３２】
第２の壁部２１は、第１の筐体構成要素１５の側面に対応している。第２の壁部２１は、装置本体８の側面形状に合わせて形成された壁部本体２３と、補整部材１７を第１の筐体構成要素１５に嵌め込むときに摺接する摺接部２４，…と、第１の筐体構成要素１５に第２の筐体構成要素１６を係止する係止部２５，…と、壁部本体２３の上端部に沿って形成される溝（図４も参照）２６と、を備える。なお、第２の壁部２１，２１には成型時に互いに近接する方向Ｂに反りが生じたものとして以下を説明する。
【００３３】
壁部本体２３は、外形のデザインに合わせて曲線形状に成形されている。
【００３４】
摺接部２４は、第１の壁部１９に一体に成形されており、その内側の面が第１の壁部１９に対して直角となるように壁部本体２３に固定されている。摺接部２４は、補整部材１７を第１の筐体構成要素１５に動作させる方向Ａに沿って設けられる。つまり、摺接部２４は、第１の壁部１９の上端から下端に向かって連続して設けられる。摺接部２４の上端には、その摺接部２４の内側の面を更に上方に延長する延長部２７を備えている。
【００３５】
摺接部２４は、第２の壁部２１に複数設けられている。向かい合う第２の壁部２１，２１のそれぞれに設けられる摺接部２４は、対称となるように配置される。また、摺接部２４は、同じく第２の壁部２１に設けられる係止部２５の少なくとも一方側に配置され、好ましくは、係止部２５の両側に配置される。
【００３６】
係止部２５は、第２の壁部２１に複数設けられている。係止部２５は、第１の筐体構成要素１５に嵌め込まれた第２の筐体構成要素１６を抜け止め可能に連結する。
【００３７】
溝２６は、第２の筐体構成要素１６との間を隙間なく塞ぐために補整部材１７の縁を凹凸係合するために設けられる。
【００３８】
第３の壁部２２は、第１の筐体構成要素１５の背面に対応している。第３の壁部２２は、第２の壁部２１と同様に、壁部本体２８と、摺接部２９，…と、溝３０と、を備える。
【００３９】
第２の筐体構成要素１６は、第１の筐体構成要素１５の開放部１８を塞ぐ蓋体である。第２の筐体構成要素１６は、一対の第２の壁部２１，２１のそれぞれ先端側に跨って取り付けられる。第２の筐体構成要素１６は、装置本体８の正面に対応する面と装置本体８の天面（上面）に対応する面とを備え、断面形状が略Ｌ字状の形状とされている。
【００４０】
補整部材１７は、一方に突出する２以上の突起部３１，…と、各突起部３１，…を支持する支持部３２と、第１の筐体構成要素１５の係止部２５，…に係止される係止爪３３，…と、を備える。
【００４１】
突起部３１は、支持部３２に対して直交する方向に突出して形成されている。突起部３１は、一対の第２の壁部２１，２１間に挿入されて第２の壁部２１，２１のそれぞれ内面に摺接する。突起部３１は、支持部３２に複数設けられている。突起部３１は、外側に向いて平面状の面を有する突起本体３４と、該突起本体３４の先端部に外側に向いて傾斜した傾斜面３５と、を備える。
【００４２】
突起本体３４は、中空の四角柱状であり、第１の筐体構成要素１５の第２の壁部２１が反る方向Ｂに側面が面するように支持部３２に配置されている。突起本体３４は、支持部３２に対して直角に突出する。突起本体３４の突出方向（長手方向）の長さは、補整部材１７を摺接させる方向Ａに沿う摺接部２４の長さより短い。
【００４３】
傾斜面３５は、突起部３１が一対の第２の壁部２１，２１間に挿入されるのに伴って、一対の第２の壁部２１，２１間を拡張する方向Ｃに作用させる。つまり、傾斜面３５は、補整部材１７を摺接させる方向Ａに動作する補整部材１７の各突起部３１，…に対して、向かい合う第２の壁部２１をそれぞれ離間する方向Ｃに作用させる。
【００４４】
支持部３２は、第１の筐体構成要素１５の反りが補整されているときの第２の壁部２１及び第３の壁部２２の摺接部２４，…，２９，…の内面の位置に対応可能な位置関係に突起部３１，…を支持している。このとき、突起部３１，…の外側に面する面は、摺接部２４，…，２９，…の側面に対向するように配置される。また、支持部３２は、係止部２５，…の位置に対応するように係止爪３３，…を支持している。
【００４５】
係止爪３３は、支持部３２に複数設けられている。係止爪３３は、第１の筐体構成要素１５の係止部２５，…に係止可能に設けられる。
【００４６】
次に、同実施形態に係る光照射治療・予防装置１の装置本体８の組み立てについて、図１〜図５を参照しつつ説明する。装置本体８は、第１の筐体構成要素１５の内部に光源２、反射部材３、照射部材４、波長透過手段５、発光制御手段６及び電源供給手段７などの格納部品を装置内に組み込んで、第２の筐体構成要素１６を第１の筐体構成要素１５の開放部１８に嵌め込むことにより組み立てられる。
【００４７】
第２の筐体構成要素１６は、第１の筐体構成要素１５に対して第１の壁部１９と直交する方向（上面）Ａ側から嵌め込まれる。このとき、補整部材１７の各突起部３１，…の先端部の位置は、摺接部２４，…，２９，…の上端（延長部２７）の位置に対応している。各突起部３１，…は、摺接部２４，…，２９，…の上端に各傾斜面３５，…を当接させた状態にある。突起部３１は、傾斜面３５を摺接部２４，…，２９，…に沿わせて摺接させることにより、第２の壁部２１，２１を互いに離間する方向Ｃに押圧する。つまり、第１の筐体構成要素１５の開放端部は、互いに離間する方向Ｃに押し広げられる。よって、第２の壁部２１，２１の反りは、解消する。
【００４８】
第１の筐体構成要素１５の開放端部が押し広げられることにより、各突起部３１，…は、当該突起部３１，…の（装置本体８の）外側に面した内面を、摺接部２４，…，２９，…の内側（装置本体８の中心に面した面）の内面に面した位置関係になる。よって、各突起部３１，…は、外側の内面を摺接部２４，…，２９，…の内側の内面に摺接させつつ、第１の壁部１９と直交する方向（上面）Ａ側に移動することが許容される。
【００４９】
補整部材１７は、支持部３２の縁が第１の筐体構成要素１５の開放端部の溝２６，３０に凹凸係合されるまで第１の壁部１９と直交する方向（上面）Ａ側に移動させる。そして、補整部材１７の係止爪３３，…が第１の筐体構成要素１５の係止部２５，…に係止されることにより、第２の筐体構成要素１６は、第１の筐体構成要素１５に嵌め込まれる。そして、装置本体８の組み立ては、完了する。
【００５０】
このように、反りが第２の壁部２１，２１に発生して、向かい合う第２の壁部２１，２１が互いに近接する方向Ｂに曲がるときであっても、補整部材１７の突起部３１，…が第２の壁部２１，２１間に挿入されることにより、一対の第２の壁部２１．２１間を拡張する方向Ｃに傾斜面３５が作用し、第１の筐体構成要素１５の反りを補整することができる。つまり、第２の筐体構成要素１６は、第１の筐体構成要素１５の開放端沿いの端部に突起部３１の先端部を合わせて第１の筐体構成要素１５に嵌め込まれる。第２の壁部２１，２１の内面に沿う方向Ａに向かう各突起部３１，…の動作は、傾斜面３５の働きにより、向かい合う第２の壁部２１，２１をそれぞれ離間する方向Ｃに動作させる。このようにして、補整部材１７は、傾斜面３５により、容易に第１の筐体構成要素１５に嵌め込むことができるとともに、第２の壁部２１，２１の反りを解消する。
【００５１】
また、補整部材１７の突起部３１，…が、第２の壁部２１，２１間に挿入されることにより、支持部３２が第１の筐体構成要素１５の反りが補整されているときの第２の壁部２１，２１の内面の位置に対応する位置に各突起部３１，…を位置させ、第１の筐体構成要素１５の反りを補整することができる。つまり、各突起部３１，…は、第１の筐体構成要素１５の反りが補整されたときの第２の壁部２１，２１の内面の位置に対応して、支持部３２，…に支持されている。そして、各突起部３１，…が各第２の壁部２１，２１の内面に接した状態は、反りが解消された状態にある第２の壁部２１，２１の姿勢となる。よって、第１の筐体構成要素１５は、補整部材１７を嵌め込むことで、第２の壁部２１，２１の姿勢を補整した状態に維持させることができる。
【００５２】
また、摺接部２４，…が第２の壁部２１，２１に設けられることにより、補整部材１７の突起部３１，…を第２の壁部２１，２１間のそれぞれの内面に摺接させて、各第２の壁部２１，２１に沿って挿入させることができる。
【００５３】
また、補整部材１７の突起部３１，…を第２の壁部２１，２１が立設する方向Ａから挿入することができ、より効果的に第１の筐体構成要素１５の反りを補整することができる。つまり、第１の筐体構成要素１５に反りが発生すると、向かい合う第２の壁部２１，２１が第１の壁部１９に直交する方向に曲がるため、第２の壁部２１，２１の先端部の位置が（反っていない第２の壁部２１，２１の位置から）最も変位する。よって、第２の壁部２１，２１の先端部は、その位置を補整するために最も力を必要とする。そこで、補整部材１７を第２の壁部２１，２１が立設する方向Ａから挿入することにより、第２の壁部２１，２１の先端部が最も抗力が期待できる突起部３１の基端側で保持されるため、第２の壁部２１，２１の姿勢は、補整された状態に容易に維持することができる。
【００５４】
なお、本発明に係る樹脂製筐体は、上記実施形態に限定されるものではなく、本発明の要旨を逸脱しない範囲内において種々変更を加え得ることは勿論である。
【００５５】
例えば、上記実施形態に係る光照射治療・予防装置１は、略長方形状をしている第１の筐体構成要素１５が６面あるうちの隣り合う２面、すなわち、上面と正面とを開放させる開放部を有する例を説明したが、これに限定されるものではない。例えば、筐体は、第１の壁部と向かい合う第２の壁部とのみからなる凹状に形成されていてもよい。このとき、第１の壁部の形状は、方形であることに限定されず、円形、楕円形であってもよい。また、第１の壁部は、平面であることに限定されず、曲面を有していてもよい。このように構成される筐体であっても、向かい合う第２の壁部は、反りが発生するため、本発明を適用する効果を有する。
【００５６】
また、上記実施形態に係る光照射治療・予防装置１は、摺接部２４，…が向かい合う２つの第２の壁部２１，２１に対して複数（実施形態では１０箇所）設けられ、突起部３１，…が摺接部２４，…に対応して、補整部材１７の支持部３２に複数設けられる例を説明したが、これに限定されるものではない。例えば、摺接部２４，…は、２箇所以上に設けられておればよく、向かい合うそれぞれの第２の壁部２１，２１に少なくとも１箇所づつ設けられていることが好ましい。突起部３１，…も各摺接部２４，…に対応して同様に設けられていることが好ましい。なお、摺接部２４，…は、そのかわりに第２の壁部２１，２１の内面を用いてもよい。このときの第２の壁部２１，２１の内面は、第１の壁部１９に対して直角であることが好ましい。
【００５７】
また、上記実施形態に係る光照射治療・予防装置１は、傾斜面３５が突起部３１の先端部に設けられる例を説明したが、これに限定されるものではない。例えば、傾斜面は、摺接部の先端側の端部に設けられていてもよいし、当該端部及び突起部の先端部の両方に設けられていてもよい。また、傾斜面は、摺接部の先端側の端部のかわりに、当該摺接部の位置に対応する第２の壁部の開放端沿いの端部に設けられていてもよい。なお、摺接部の先端側の端部又は当該摺接部の位置に対応する第２の壁部の開放端沿いの端部に設けられる傾斜面は、第２の壁部が互いに接近する方向（第２の壁部が反る方向）に傾斜するように設けられる。
【００５８】
また、上記実施形態に係る光照射治療・予防装置１は、摺接部２９，…が第１の壁部１９に直交する方向Ａに設けられる例を説明したが、これに限定されるものではない。例えば、摺接部は、第１の壁部に沿う方向（第１の壁部と平行又は略平行）に設けられていてもよい。摺接部が第１の壁部に沿って設けられる場合であっても、筐体に補整部材を嵌め込む際、突起部は、傾斜面の働きにより互いに接近する方向に曲がった状態にある向かい合う第２の壁部（又は摺接部）の間に容易に差し込むことができる。
【００５９】
また、上記実施形態に係る光照射治療・予防装置１は、各突起部３１，…が中空状の柱である例を説明したが、これに限定されるものではない。例えば、突起部は、断面形状がＣの字形状やＬの字形状であってもよいし、単に方形状や角錐形状（さい頭錐体形状を含む）の柱であってもよい。この場合、各突起部は、平面状の面を外側に向けて支持部上に配置されることが好ましい。
【００６０】
また、上記実施形態に係る光照射治療・予防装置１は、治療・予防目的に炎症性サイトカインの産生の抑制を予防したい生体の部位又は罹患した生体の部位に照射する用途に用いられる例を説明したが、これに限定されるものではない。例えば、光照射治療・予防装置は、治療・予防目的以外に用いられる、電気・電子機器その他の部材を格納するための筐体であって、当該筐体を合成樹脂で成形された樹脂製筐体に適用されることを妨げるものではない。
【産業上の利用可能性】
【００６１】
本発明に係る樹脂製筐体は、少なくとも第１の壁部と、該第１の壁部の向かい合うそれぞれの縁部に沿って立設される一対の第２の壁部と、を有する第１の筐体構成要素と、一対の第２の壁部のそれぞれ先端側に跨って取り付けられる第２の筐体構成要素と、を備える樹脂製筐体であって、一対の第２の壁部が接近する方向に変形する第１の筐体構成要素の反りを補整すべく、一対の第２の壁部間に挿入されて第２の壁部のそれぞれ内面に摺接する少なくとも一対以上の突起部を有する補整部材を備え、該突起部の先端側及び突起部が摺接する第２の壁部の内面のいずれか一方又はその両方に、突起部が一対の第２の壁部間に挿入されるのに伴って、一対の第２の壁部間を拡張する方向に作用させる傾斜面が形成される構成を有することによって、反りが発生した筐体の姿勢を容易に補整することが必要な用途にも適用することができる。
【符号の説明】
【００６２】
１５  第１の筐体構成要素
１６  第２の筐体構成要素
１７  補整部材
１８  開放部
１９  第１の壁部
２１  第２の壁部
２３  壁部本体
２４  摺接部
３１  突起部
３２  支持部
３５  傾斜面
【図１】
2013056465.tif 000003
【図２】
2013056465.tif 000004
【図３】
2013056465.tif 000005
【図４】
2013056465.tif 000006
【図５】
2013056465.tif 000007